(57)【要約】【課題】  所望の画像コマの画像読み取りの際の給送時間を短縮することができる画像読取装置の提供。【解決手段】  フィルムＦＩを画像読取装置に装着する前に、画像読み取りを行いたい画像コマＫ３に近接するパーフォレーションＰＦに遮光性テープを貼り付けて、その貫通孔を塞ぐようにしてマーキングＭ２を形成する。マーキングＭ２が形成されたフィルムＦＩが画像読取装置に装着されると、フィルムＦＩは高速給送により給送され、そのときのパーフォレーション形成領域Ｐの光透過特性がフォトセンサ１６により検出される。そして、マーキングＭ２を検出したときの信号パターンの不規則性を検出したら給送を停止し、さらにフィルムＦＩを逆送して画像コマＫ３を画像読み取り位置に位置決めする。【選択図】        図６
2006109125.tif 000002
【特許請求の範囲】
【請求項１】
複数の画像コマを有するフィルムの画像を読み取る画像読み取り方法において、
前記フィルムに設けられたパーフォレーション形成領域に、そのパーフォレーション形成領域の光透過反射特性を変更するマークを形成する工程と、
前記フィルムを給送しつつ前記パーフォレーション形成領域の光透過反射特性を光センサで検出する工程と、
前記光センサから出力される信号の出力パターンの不規則変化を検出する工程と、
前記不規則変化の検出結果に基づいて、前記マークと関連付けされた画像コマを所定の画像読取位置に位置決めする工程とを有することを特徴とする画像読み取り方法。
【請求項２】
請求項１に記載の画像読み取り方法において、
前記マークは、前記パーフォレーション形成領域に形成されたパーフォレーションの少なくとも一つを遮光部材で塞いで形成されることを特徴とする画像読み取り方法。
【請求項３】
請求項１に記載の画像読み取り方法において、
前記マークは、前記パーフォレーション形成領域に形成された貫通孔であることを特徴とする画像読み取り方法。
【請求項４】
フィルム給送用のパーフォレーションを有するフィルムの画像読取装置であって、
前記フィルムを給送する給送手段と、
前記パーフォレーション形成領域の光透過反射特性を検出する光センサと、
前記給送手段による給送時に、前記光センサから出力される信号の出力パターンの不規則変化を検出する変化検出手段と、
前記変化検出手段の検出結果に基づいて、前記画像コマを所定の画像読取位置に位置決めする位置決め手段とを備えたことを特徴とする画像読取装置。
【請求項５】
請求項４に記載の画像読取装置において、
前記給送手段は、画像読み取り用の第１給送速度による第１の給送モードと前記第１給送速度よりも高速な第２給送速度による第２の給送モードとを少なくとも有し、前記不規則変化が検出されるまでは前記フィルムを前記第２の給送モードにより給送し、前記不規則変化の検出後は前記第１の給送モードにより給送することを特徴とする画像読取装置。
【発明の詳細な説明】
【技術分野】
【０００１】
本発明は、フィルムの画像を読み取る画像読み取り方法、およびその方法を用いた画像読取装置に関する。
【背景技術】
【０００２】
従来、３６枚撮りフィルムのような複数の画像コマを有する長尺の原稿フィルムを直接装填し、それを給送して画像を読み取る画像読取装置が知られている（例えば、特許文献１参照）。そのような装置において原稿フィルム上の所望のコマの画像を読み取らせる場合には、いったん原稿フィルムを先頭から終端まで給送して全てのコマの画像を低解像度で読み込む。そして、読み込んだ画像情報から各コマの先頭位置を割り出して、その情報を元に指定コマを読み取り位置に精度良く給送し、指定コマの画像を読み取るようにしている。
【０００３】
【特許文献１】特開２００２−５５３９９号公報
【発明の開示】
【発明が解決しようとする課題】
【０００４】
しかしながら、上述した画像読取装置では、画像を読み込みながら原稿フィルムを給送する必要があるため、読み取り精度を保つために小刻みに原稿フィルムを停止させる必要があった。そのため、コマ数の多い長尺の原稿フィルムの場合には、全体にわたって画像を読み込む際に多大な時間を要するという問題があった。
【課題を解決するための手段】
【０００５】
請求項１の発明は、複数の画像コマを有するフィルムの画像を読み取る画像読み取り方法に適用され、フィルムに設けられたパーフォレーション形成領域に、そのパーフォレーション形成領域の光透過反射特性を変更するマークを形成する工程と、フィルムを給送しつつパーフォレーション形成領域の光透過反射特性を光センサで検出する工程と、光センサから出力される信号の出力パターンの不規則変化を検出する工程と、不規則変化の検出結果に基づいて、マークと関連付けされた画像コマを所定の画像読取位置に位置決めする工程とを有することを特徴とする。
請求項２の発明は、請求項１に記載の画像読み取り方法において、マークは、パーフォレーション形成領域に形成されたパーフォレーションの少なくとも一つを遮光部材で塞いで形成されるものである。
請求項３の発明は、請求項１に記載の画像読み取り方法において、マークを、パーフォレーション形成領域に形成された貫通孔としたものである。
請求項４の発明はフィルム給送用のパーフォレーションを有するフィルムの画像読取装置であって、フィルムを給送する給送手段と、パーフォレーション形成領域の光透過反射特性を検出する光センサと、給送手段による給送時に、光センサから出力される信号の出力パターンの不規則変化を検出する変化検出手段と、変化検出手段の検出結果に基づいて、画像コマを所定の画像読取位置に位置決めする位置決め手段とを備えたことを特徴とする。
請求項５の発明は、請求項４に記載の画像読取装置において、給送手段が、画像読み取り用の第１給送速度による第１の給送モードと第１給送速度よりも高速な第２給送速度による第２の給送モードとを少なくとも有し、不規則変化が検出されるまではフィルムを第２の給送モードにより給送し、不規則変化の検出後は第１の給送モードにより給送するようにしたものである。
【発明の効果】
【０００６】
本発明によれば、パーフォレーション形成領域を光センサで検出し、その光センサの出力パターンの不規則変化を検出することにより画像コマを画像読取位置に位置決めするようにしたので、従来のようにコマ毎に低解像度で画像を読み込みながら給送を行う場合に比べて、光センサ検出の際の給送速度を速くすることができる。その結果、給送時間の短縮を図ることができる。
【発明を実施するための最良の形態】
【０００７】
以下、図を参照して本発明を実施するための最良の形態について説明する。図１，２は本発明による画像読取装置の一実施形態を示したものであり、図１は画像読取装置の概略構成図、図２はその要部斜視図である。画像読取装置１は、写真フィルムの画像をデジタルデータに変換するものであり、原稿フィルムＦＩを給送するための給送機構１０が固定的あるいは着脱可能に設けられている。本実施の形態では、原稿フィルムＦＩは所定コマ数を有するスリーブ状のフィルムである。スリーブ状フィルムとは、カートリッジやパトローネ等の容器に収められていないフィルム単体の状態を指し、以下では単にフィルムＦＩと呼ぶことにする。
【０００８】
給送機構１０は、給送モータ１１により駆動される駆動ローラ１２と、駆動ローラ１２との間でフィルムＦＩを挟み込む押圧ローラ１３とを有し、押圧ローラ１３は押圧ばね１４の付勢力によってフィルムＦＩを駆動ローラ１２に押圧する。本実施形態では、各一対の駆動／押圧ローラ１２，１３が給送方向（Ａ，Ｂ方向）に２箇所設けられている。フィルムＦＩに形成された画像コマの画像を読み取る際には、画像読取アパーチャ１７に対応する位置に画像コマが位置するようにフィルムＦＩを給送して位置決めする。給送モータ１１には、一定速度での給送が可能なステッピングモータが用いられる。また、ＤＣモータを用いるような場合には、駆動ローラ１２の回転数を検知するなどして給送が一定速度で行われるように制御すれば良い。
【０００９】
フィルムＦＩの移動量は、フォトセンサ１６の検出信号に基づいて算出される。フォトセンサ１６は、図２に示すようにフィルムＦＩのパーフォレーションＰＦを検出するフォトインタラプタにて構成され、その出力がＣＰＵ２１に入力される。フィルム給送時、フォトセンサ１６はフィルムＦＩのパーフォレーションＰＦが形成されたパーフォレーション形成領域（後述する図３の符号Ｐで示す領域）に沿って走査され、そのパーフォレーション形成領域の光透過特性を検出することになる。すなわち、フォトセンサ１６の出力はパーフォレーション数に応じたパルス信号となり、ＣＰＵ２１はそのパルスを計数してフィルム移動量を検知する。
【００１０】
画像読取装置１の撮像系３０は、ＬＥＤ等の照明光源３１と、ミラーやレンズから成る光学系３２と、ＣＣＤラインセンサ等の読取センサ３３とが一体化されたものである。光源３１は、ＣＰＵ２１からの指示により照明駆動回路２３を介して点灯され、その照明光はフィルムＦＩの露光領域を透過し、光学系３２を介して読取センサ３３に受光される。読取センサ３３の光電変換出力は、アナログ画像信号として画像処理回路２４に入力され、ここで増幅，相関二重サンプリング，シェーディング補正，暗電流補正，偶奇補正等の処理が施される。処理後の画像信号はＡ／Ｄ変換器（不図示）でデジタル信号に変換され、メモリ２５に格納される。
【００１１】
読取センサ３３は１度に１ライン分の読取りを行うラインセンサであり、１コマ分の画像を読み取るには、上述した撮像系３０とフィルムＦＩとを相対移動（スキャン駆動）させ、１ライン分の移動と読取りとを交互に繰り返す必要がある。本実施形態では、フィルムＦＩを１ライン分ずつ移動させながら読取センサ３３により読み取りを行う。また、撮像系３０の焦点調節は、ＣＰＵ２１からの指示によりＡＦモータ駆動回路２９ＡにてＡＦモータ２９を駆動することにより行われる。
【００１２】
本実施の形態の画像読取装置１は外部インターフェース４１を有し、ホストコンピュータ２にケーブル接続可能とされる。ホストコンピュータ２は、演算処理装置、ハードディスク等の記憶装置、キーボードやマウス等の入力装置およびＣＲＴや液晶ディスプレイ等の表示装置を有する。ホストコンピュータ２には専用のドライバソフトウェアが組み込まれ、画像読取りを始めとした画像読取装置１の種々の機能がドライバソフトウェアにてサポートされる。ユーザは、ホストコンピュータ２にてドライバソフトウェアを立ち上げ、入力装置を用いて画像読み取り指示や原稿排出指示などを行う。
【００１３】
《画像読み取り動作の説明》
次に、複数の画像コマを有するフィルムＦＩの所望の画像を読み取る場合の動作について説明する。図３はフィルムＦＩの一部を示したものであり、フィルムＦＩの延在方向（左右方向）に沿って複数の画像コマＫ（Ｋ１，Ｋ２，Ｋ３，Ｋ４）が形成されている。画像コマＫの上下にはパーフォレーション形成領域Ｐが設けられており、そのパーフォレーション形成領域Ｐには矩形状の貫通孔であるパーフォレーションＰＦがフィルム延在方向に所定の間隔ΔＬで複数形成されている。
【００１４】
先ず、ユーザはフィルムＦＩのパーフォレーション形成領域Ｐの読み込ませたい画像コマＫに近接する位置に、マーキングを行う。図３に示す例では３種類のマーキング方法を示した。画像コマＫ１に近接するパーフォレーション形成領域Ｐには、第１番目のマーキングＭ１が形成されている。このマーキングＭ１は、パーフォレーションＰＦ１とパーフォレーションＰＦ２との間のフィルム材を切り欠いて形成したものであり、パーフォレーションＰＦ１，ＰＦ２が切り欠きにより連結されて一つの貫通孔となっている。なお、３つ以上のパーフォレーションＰＦが連結されるように切り欠きを複数設けても良い。
【００１５】
また、画像コマＫ２に近接するパーフォレーション形成領域Ｐには、第２番目のマーキングＭ２が形成されている。このマーキングＭ２は、パーフォレーションＰＦ３を塞ぐように遮光テープ（例えば、編集用のスプライシングテープ）Ｍ２を貼り付けたものである。ここでは、一つのパーフォレーションＰＦ３に遮光テープＭ２を貼り付けたが、複数のパーフォレーションＰＦにまたがって貼り付けてもかまわない。
【００１６】
さらに、画像コマＫ３に近接するパーフォレーション形成領域Ｐには、第３番目のマーキングＭ３が形成されている。このマーキングＭ３は、パーフォレーションＰＦ４とパーフォレーションＰＦ５との間のフィルム材表面を油性ペン等で黒く塗りつぶしたものである。塗りつぶす領域は１カ所に限らず、連続するパーフォレーションＰＦの２カ所以上であってもかまわない。その結果、マーキングＭ３部分の光透過率は、他のフィルム材部分よりも低下している。
【００１７】
図４は、フィルムＦＩを給送した時のフォトセンサ１６の出力信号の変化を示したものであり、縦軸は信号値を表し、横軸は時間を表している。フォトセンサ１６の出力信号は、パーフォレーション形成領域Ｐの光透過率が高いほど信号値も大きくなる。図４（ａ）はマーキングが設けられていない場合の信号を示しており、パーフォレーションＰＦの貫通孔を検出しているときの信号値はＨとなり、フィルム材を検出している場合は信号値Ｌ１となっている。このように、マーキングが設けられていない場合には、信号パターンは規則的なパターンとなる。なお、信号値Ｈのパルスの数をカウントすることによりフィルムＦＩの移動量を検知することができる。
【００１８】
一方、図４（ｂ）はマーキングＭ１の場合、図４（ｃ）はマーキングＭ２の場合および図４（ｄ）はマーキングＭ３の場合の信号をそれぞれ示したものである。図４（ｂ）のマーキングＭ１の場合、パーフォレーションＰＦ１，ＰＦ２間のフィルム材を切り欠いているため、その部分の検出信号値はパーフォレーションＰＦの場合と等しくＨとなる。そのため、マーキングＭ１の部分の値Ｈの信号の幅が大きくなり、マーキングＭ１を挟む前後の信号値Ｌ１間の間隔が変化することになる。
【００１９】
また、図４（ｃ）のマーキングＭ２の場合、遮光テープが貼り付けられた部分（斜線を施した部分）の光透過率はフィルム材の部分よりも低くなり、検出信号値はフィルム材の部分の信号値Ｌ１よりも小さな値Ｌ２となる。さらに、図４（ｄ）のマーキングＭ３の場合は、マーキングＭ３の部分は油性ペン等で黒く塗りつぶしただけなので、遮光テープを貼り付けた場合よりも光透過性は高く、その部分の検出信号値Ｌ３の大きさは「Ｌ２＜Ｌ３＜Ｌ１」となる。
【００２０】
本実施の形態では、図４（ｂ）〜図４（ｄ）に示したような信号パターンの不規則変化をＣＰＵ２１において検出することにより、読み取りたい画像コマを検知することができる。なお、信号パターンの不規則変化の検知が精度良く行われるように、駆動モータ１１にステッピングモータ等を用いてフィルムＦＩを一定速度で給送するのが望ましい。
【００２１】
まず、図３に示すマーキングＭ１〜Ｍ３のいずれかを読み取りたい画像コマに近接するパーフォレーション形成領域Ｐに形成し、その後、スリーブ状のフィルムＦＩを画像読取装置１の給送機構１０に装着する。そして、画像読取装置１に対して読み取りを指示することにより、図５のフローチャートに示すような給送および読み取り動作を開始する。
【００２２】
図５のステップＳ１では、画像読み取り時よりも給送速度の速い高速給送で、フィルムＦＩのＡ方向への給送を開始する。読取センサ３３により１ライン分ずつ読み取りを行う画像読取動作の場合に比べ、パーフォレーション検出と同様の作業であるマーキング検出の場合にはフィルムＦＩをより高速に給送することが可能となる。ステップＳ２では、フォトセンサ１６によるパーフォレーションＰＦおよびマーキングＭ（Ｍ１〜Ｍ３）の検出を開始する。
【００２３】
続くステップＳ３からステップＳ５までの処理は、検出信号のパターンに図４（ｂ）〜図４（ｄ）に示したような不規則変化があるか否かを判定する処理である。なお、図４（ｂ）〜図４（ｄ）以外のマーキング形態がある場合には、そのマーキングを検出するための判定処理をさらに追加する。先ず、ステップＳ３では、図４（ｂ）に示すような信号間隔の変化、すなわち通常より幅の大きな信号Ｈが検出されたか否かを判定する。そして、検出されたと判定されるとステップＳ６へ進み、検出されていないと判定されるとステップＳ４へと進む。
【００２４】
次のステップＳ４では、図４（ｃ）に示すような値Ｌ２の信号を検出したか否かを判定し、検出したと判定されるとステップＳ６へ進み、検出されていないと判定されるとステップＳ５へ進む。ステップＳ５では、図４（ｄ）に示すような値Ｌ３の信号を検出したか否かを判定し、検出したと判定されるとステップＳ６へ進む。一方、ステップＳ５で検出されていないと判定された場合、すなわち、信号パターンに不規則変化が検出されない場合にはステップＳ３へと戻り、不規則変化検出の処理を繰り返し実行する。
【００２５】
ステップＳ３〜Ｓ５のいずれか一つからステップＳ６に進んだ場合には、フィルムＦＩの給送を停止する。ステップＳ７では、給送機構１０の給送方向をＢ方向（図１参照）に逆転してフィルムＦＩを逆送し、マーキングにて指定された画像コマを所定の読み取り開始位置に位置決めする。この位置決め方法としては種々の方法が可能であるが、例えば、特開２００２−５５３９９号公報に記載の画像読取装置のように、画像を低解像度で読み込んでコマの先頭位置を割り出して位置決めするようにしても良い。具体的には次のような動作を行えば良い。
【００２６】
まず、図６に示すように、フォトセンサ１６の検出位置Ａと読取センサ３３の読み取り位置Ｂとの間隔がパーフォレーション間隔ΔＬのＮ倍（Ｎは正の整数）となるように、フォトセンサ１６の位置を設定しておく。図６は位置決め動作時のフィルムＦＩとフォトセンサ１６および読取センサ３３との位置関係を示す図であり、（ａ）はステップＳ６の給送停止時におけるフィルムＦＩの位置を示し、（ｂ）は画像コマＫ３を読み取り開始位置に位置決めしたときのフィルムＦＩの位置を示している。なお、図６では、フィルムＦＩとの位置関係がわかりやすいように、フォトセンサ１６および画像読取アパーチャ１７とをフィルムＦＩに対して図示上方にずらして示した。
【００２７】
ステップＳ６の給送停止時にはマーキングＭ２は検出位置Ａを通り過ぎているので、ステップＳ７で逆送を開始すると、再びマーキングＭ２が検出される。そして、再びマーキングＭ２が検出されてから、さらにΔＬ×Ｎだけ逆送する。その結果、マーキングＭ２は読み取り位置Ｂまで移動することになる。なお、逆送時には、読取センサ３３による低解像度での画像読み取りを行う。
【００２８】
マーキングＭ２が読み取り位置Ｂにある時には、読取センサ３３は画像コマＫ３の画像を読み取っていることになり、さらに低速逆送を行いながら低解像度での読み取りを行い、コマ間のフィルムベースと画像コマＫ３との境界を検出したならば低速逆送を停止する。その結果、マーキングＭ２により指定された画像コマＫ３が所定の画像読み取り位置に位置決めされる。この境界検出においては、例えば、１ラインの平均値に関して、ベースの場合と画像コマの場合を弁別できるような所定閾値を設定する。そして、フィルムを低速逆送で微少距離動かしながら１ライン平均値と所定閾値とを比較して、ベースと画像コマＫ３との境界を検出する。
【００２９】
図５に戻って、ステップＳ７における位置決め処理が完了したならばステップＳ８へ進み、再び給送方向を正方向（Ａ方向）に逆転し、画像コマＫ３に対する本来の解像度での画像読み取り処理を行う。続くステップＳ９では、フィルムＦＩの最後の画像コマまで給送が行われたか否かを判定し、ＮＯと判定されるとステップＳ１へ戻ってステップＳ１からステップＳ８までの処理を再度実行し、ＹＥＳと判定されると一連の画像読み取り動作を終了する。なお、ステップＳ９における判定は、例えば、フォトセンサ１６によるパーフォレーションＰＦの検出が行われなくなったか否かによって行う。
【００３０】
上述したように、本実施の形態では、予め設けられたマーキングＭ１〜Ｍ３をフォトセンサ１６で検出するようにしたので、フィルムＦＩを高速給送させながら所望の画像コマを検出することができる。その結果、従来の画像読取装置に比べて画像読み取りまでの給送時間を短縮することができる。なお、所望の画像コマを画像読み取り位置に位置決めする時に低速給送することにより、精度良く位置ぎめすることができる。
また、マーキングＭ１〜Ｍ３を検出するフォトセンサ１６としてパーフォレーションセンサを兼用して用いているので、コストアップを抑えることができる。
【００３１】
なお、上述した実施の形態では、フォトセンサ１６にフォトインタラプタを用いてパーフォレーション形成領域Ｐの光透過特性の変化を検出したが、フォトレフレクタのような反射型のセンサを用いてパーフォレーション形成領域Ｐの光反射特性の変化を検出するようにしても良い。また、マーキングの形態は上述したマーキングＭ１〜Ｍ３に限らず、フォトセンサ１６の信号パターンに不規則変化を生じさせるものであるならば、どのようなものであっても良い。さらに、本発明の特徴を損なわない限り、本発明は上記実施の形態に何ら限定されるものではない。
【００３２】
以上説明した実施の形態と特許請求の範囲の要素との対応において、給送機構１０は給送手段および位置決め手段を、ＣＰＵ２１は変化検出手段をそれぞれ構成する。
【図面の簡単な説明】
【００３３】
【図１】本発明による画像読取装置の一実施の形態を示す概略構成図である。
【図２】図１に示す画像読取装置の要部斜視図である。
【図３】マーキングＭ１〜Ｍ３が設けられたフィルムＦＩを示す図である。
【図４】フィルムＦＩを給送した時のフォトセンサ１６の出力信号の変化を示す図であり、（ａ）はマーキングを設けない場合、（ｂ）はマーキングＭ１を設けた場合、（ｃ）はマーキングＭ２を設けた場合、（ｄ）はマーキングＭ３を設けた場合をそれぞれ示す。
【図５】給送および読み取り動作を示すフローチャートである。
【図６】位置決め動作時のフィルムＦＩとフォトセンサ１６および読取センサ３３との位置関係を示す図であり、（ａ）はステップＳ６の給送停止時におけるフィルムＦＩの位置を示し、（ｂ）は画像コマＫ３を読み取り開始位置に位置決めしたときのフィルムＦＩの位置を示している。
【符号の説明】
【００３４】
１  画像読取装置
１０  給送機構
１１  給送モータ
１２  ＣＰＵ
１６  フォトセンサ
１７  画像読取アパーチャ
３０  撮像系
３３  読取センサ
Ｋ１〜Ｋ４  画像コマ
Ｍ１〜Ｍ３  マーキング
ＦＩ  原稿フィルム
Ｐ  パーフォレーション形成領域
ＰＦ，ＰＦ１〜ＰＦ５  パーフォレーション
【図１】
2006109125.tif 000003
【図２】
2006109125.tif 000004
【図３】
2006109125.tif 000005
【図４】
2006109125.tif 000006
【図５】
2006109125.tif 000007
【図６】
2006109125.tif 000008